(57)【要約】【構成】台紙６に緩衝シート８を貼付し、緩衝シート８に書籍４を置き、緩衝シート８の左右の折り返し部１２，１３を台紙６の縁に沿って両側から折り返して、書籍４を覆うように重ねる。折り返し部にバーコードやアドレスラベルなどの識別ラベル１４を貼付し、全体をシュリンク包装する。【効果】簡単かつ確実に書籍を梱包できる。【選択図】    図１
2004231230.tif 000002
【特許請求の範囲】
【請求項１】
被梱包物の平面サイズ以上のサイズの台紙と、該台紙に接着され、かつ台紙の幅の２倍以上の幅、あるいは台紙の長さの２倍以上の長さを備えた緩衝シートとからなり、被梱包物を前記台紙により保護すると共に前記緩衝シートにより覆うようにした、梱包シート。
【請求項２】
前記緩衝シートを、実質的に前記台紙の幅または長さのいずれか１方向にのみ、台紙の両側に突き出すようにして、緩衝シートを両側から被梱包物上へ折り返して重ね梱包するようにしたことを特徴とする、請求項１の梱包シート。
【請求項３】
被梱包物の平面サイズ以上のサイズの台紙と、該台紙に接着され、かつ台紙の幅または長さの２倍以上の幅あるいは長さを備えた緩衝シートとからなる梱包シートを用い、平面視で台紙からはみ出さないように被梱包物を梱包シート上にセットし、前記緩衝シートを折り返して被梱包物を覆い、次いで識別ラベルを梱包シートに貼付し、さらに梱包シートと被梱包物とをシュリンク包装するようにした、梱包方法。
【発明の詳細な説明】
【０００１】
【発明の利用分野】
この発明は、書籍などの被梱包物を梱包するための梱包シートと、梱包方法とに関する。
【０００２】
【従来技術】
【０００３】
【特許文献１】特開平５−１７８３６４号公報
特許文献１は段ボール紙で書籍を梱包することを開示している。この文献では、段ボール紙を折り返して２枚に重ね、上側の１枚目の段ボール紙に書籍のサイズに応じたスリットを設ける。次にスリットを利用して１枚目の段ボール紙を拡げ、１枚目の段ボール紙と２枚目の段ボール紙との隙間に、書籍をセットする。スリットの外側の段ボール紙を２枚共折り返し、書籍の上で１枚目の段ボール紙の上に重ねて接着する。この結果、書籍は段ボール紙で包まれて梱包される。しかしながら特許文献１では、書籍のサイズに応じて段ボール紙にスリットを入れる必要があり、専用の製函機が必要になる。また堅い段ボール紙を折り返すのは手作業では難しく、専用の封函機が必要になる。
【０００４】
【発明の課題】
この発明の基本的課題は、簡単に被梱包物を梱包でき、しかも被梱包物を確実に保護できる、梱包シートや梱包方法を提供することにある（請求項１〜３）。請求項２の発明での追加の課題は、梱包作業をさらに容易にすることにある。
【０００５】
【発明の構成】
この発明の梱包シートは、被梱包物の平面サイズ以上のサイズの台紙と、該台紙に接着され、かつ台紙の幅の２倍以上の幅、あるいは台紙の長さの２倍以上の長さを備えた緩衝シートとからなり、被梱包物を前記台紙により保護すると共に前記緩衝シートにより覆うようにしたものである（請求項１）。
【０００６】
好ましくは、前記緩衝シートを、実施的に前記台紙の幅または長さのいずれか１方向にのみ、台紙の両側に突き出すようにして、緩衝シートを両側から被梱包物上へ折り返して重ねて梱包できるようにする（請求項２）。ここに実質的にとは、台紙から２ｃｍ程度、より具体的には５ｍｍ程度、緩衝シートがはみ出しても、かまわないとの意味である。
【０００７】
この発明の梱包方法では、被梱包物の平面サイズ以上のサイズの台紙と、該台紙に接着され、かつ台紙の幅または長さの２倍以上の幅あるいは長さを備えた緩衝シートとからなる梱包シートを用い、平面視で台紙からはみ出さないように被梱包物を梱包シート上にセットし、前記緩衝シートを折り返して被梱包物を覆い、次いで識別ラベルを梱包シート、例えば緩衝シートに貼付し、さらに梱包シートと被梱包物とをシュリンク包装する（請求項３）。
【０００８】
梱包対象は例えば書籍とするが、これに限るものではない。緩衝シートは例えばエアキャップシートなどの、２層のフィルムの間に空気を封じ込んだシートとする。また緩衝シートは、内容物が見えないように、着色あるいは不透明にすることが好ましい。梱包シートのサイズは、被梱包物に合わせて複数用意しても、あるいは１種類のみとしても良い。緩衝シートと台紙（例えば段ボール紙）との接着は仮止め程度の強度にし、梱包体を受け取った消費者が台紙から梱包シートを簡単に外して、分別できるようにすることが好ましい。梱包体は例えばシュリンク包装で一体になっており、台紙と緩衝シートとの接着強度はさして高くする必要がない。
【０００９】
【発明の作用と効果】
この発明の梱包シートでは、被梱包物を台紙と緩衝シートとにより保護できる。段ボール紙などの堅い台紙を用い、かつそのサイズを平面視で被梱包物のサイズ以上とすることにより、被梱包物の角が何かに当たって傷つくなどのことを防止できる。また被梱包物が折り曲げられたりすることも、台紙で防止できる。被梱包物の台紙と反対側の面は緩衝シートで覆われ保護され、汚れや擦り傷などを防止できる。被梱包物を梱包するには、緩衝シート上にあるいは台紙上に、平面視で台紙からはみ出さないように被梱包物をセットし、緩衝シートを折り返すと、被梱包物を台紙と緩衝シートで包んで保護できる。このため、簡単かつ確実に被梱包物を梱包して保護できる（請求項１）。
【００１０】
請求項２の発明では、緩衝シートは実質的に台紙の長さ方向または幅方向のいずれか１方向でのみ、台紙から両側に突き出しているので、緩衝シートを台紙の両側で折り返し、被梱包物上で重ねると簡単に梱包できる。言い換えると、台紙の四方へ緩衝シートが突き出していないので、前記の方向に沿って台紙の両側で折り返せば良く、台紙の四周で折り返す必要がない。また台紙の両側に緩衝シートが突き出しているので、被梱包物上で緩衝シートを重ねることができ、台紙や被梱包物を持ち上げて、台紙の裏側で緩衝シートを重ねる必要がない。
【００１１】
この発明の梱包方法では、被梱包物を梱包シートに対して所定の位置にセットし、台紙から突き出した緩衝シートを被梱包物上で重ねると、一応の梱包ができる。次にバーコードや配達上のアドレスなどを記載した識別ラベルを、例えば緩衝シート上に貼付し、これらの全体をシュリンク包装する（請求項３）。これらの工程は、被梱包物を梱包シートに対して所定の位置にセットする、緩衝シートを折り返して被梱包物上で重ねる、識別ラベルを貼付する、シュリンク包装することからなり、簡単かつ確実に梱包できる。
【００１２】
【実施例】
図１〜図６に、実施例とその変形を示す。これらの図において、２は梱包シートで、４は被梱包物としての書籍であり、これ以外に例えばコンパクトディスクやミニディスクなどのディスク類、あるいはビデオテープなどのテープ類などを被梱包物としてもよい。梱包シート２は、段ボール紙などを用いた硬質の台紙６と、エアキャップシートなどを用いた着色した緩衝シート８とからなり、緩衝シート８はその平坦面側で接着部１０により台紙６に接着されている。接着強度は後述のシュリンク包装を施すまでの間、台紙６から緩衝シート８が剥がれない程度のものでよく、緩衝シート８を台紙６に仮止めできればよい。このため、接着剤に澱粉や塩化ビニルなどの接着力の弱い接着剤を用いたり、あるいはホットメルト接着剤を点付けするのが好ましい。このように、緩衝シート８の台紙６への接着強度を仮止め程度にすることにより、梱包体２０を受け取ったエンドユーザーが、紙類の台紙６と可燃ゴミとなる緩衝シート８とを簡単に分別できるようにする。
【００１３】
緩衝シート８は、台紙６の長さ方向あるいは幅方向のいずれか１方向でのみ、台紙６の両側に突き出している。そして突き出す方向に沿っての長さで、緩衝シート８の長さを台紙６の長さの２倍以上とする。１２，１３は折り返し部で、台紙６の１方向の両側に設け、緩衝シート８が台紙６から外側に突き出した部分である。
【００１４】
書籍４の梱包の過程を示すと、梱包シート２を適宜の位置にマニュアルあるいは自動でセットし、平面視で台紙６と重なり、かつ台紙６からはみ出さないように、書籍４を梱包シート２上にセットする。次いでマニュアルであるいは自動的に、両側の折り返し部１２，１３を例えば台地６の縁に沿って、言い換えると接着部１０の外側の縁に沿って、書籍４を包むように折り返して、互いに重ねる。緩衝シート８はこの方向に沿って、台紙６の２倍以上のサイズを備えているので、書籍４上に折り返すと互いに重なる。１４は識別ラベルで、書籍４の内容や配送先などを記述したバーコードをプリントしたもの、あるいは書籍４の配達先の郵便アドレスなどをプリントしたものなどとし、これらの双方をプリントしたものでもよい。そして識別ラベル１４は、マニュアルであるいは自動的に、緩衝シート８の折り返し部１２，１３に貼り付ける。
【００１５】
この段階で、緩衝シート８は書籍４上で重ねられているが、図１での書籍４の上下の端や、折り返し部１２，１３で緩衝シート８を互いに重ねた部分は、未だ封じられていない。次に識別ラベル１４を貼り付けた梱包シート２を内部の書籍４と共に、図示しないシュリンク包装機に投入すると、シュリンクフィルムでこれらの全体を覆って、シュリンク包装することができる。このようにして得られた梱包体２０を図２に示す。２２はシュリンクフィルムである。
【００１６】
梱包シート２のサイズ、特にその台紙６のサイズは、書籍４などの被梱包物のサイズに応じて複数用意してもよく、サイズを問わず兼用して、１種類のみとしてもよい。緩衝シート８はエンドユーザーのプライバシーの立場から、例えば着色して、内部の書籍などが見えないようにすることが好ましい。またシュリンク包装は、熱収縮フィルムの熱圧着を利用するが、一般にエアキャップシートは熱可塑性の樹脂を２枚重ねて、その間に空気層を設けたものであり、熱圧着が可能である。従ってシュリンク包装では、シュリンクフィルムを用いずに、図２のように折り重ねた緩衝シート８を、図２での台紙６の上端部と下端部並びに折り返し部１２，１３を重ねた位置で熱圧着して、シュリンク包装としてもよい。
【００１７】
梱包シート２へ書籍４をセットする、折り返し部１２，１３を台紙６の縁に沿って折り返して重ねる、識別ラベル１４を貼り付ける、シュリンク包装するなどの作業は、簡単に自動化できる。梱包シート２の位置決めは、例えば長方形状の台紙６を位置決めすればよく、書籍４のセットは、真空吸着機を備えた図示しない搬送手段などにより、書籍４を吸着して、所定の位置（台紙６上）に下ろせばよい。折り返し部１２，１３を折り返す作業は、台紙６の両側一対の折り返し部１２，１３を折り返すだけで、緩衝シート８の四周を折り返すのではないため、容易である。またこの作業では、台紙６の裏面まで緩衝シート８巻き込むようにするのではないため、台紙を持ち上げる必要が無い、従って、書籍４の表面を覆うように折り返せばよいため、作業は簡単である。折り返し部１２，１３の折り返し作業を自動化した例を図３に示すと、２４，２５はハンドで、折り返し部１２，１３を摩擦力や真空吸着などにより保持して、図の矢印方向に運動させて、書籍４を覆って重ねるようにする。
【００１８】
図４に、梱包体２０を書籍４の端部とシュリンクフィルム２２との間で切断した姿を示す。書籍４は緩衝シート８に接触して、段ボール紙などの台紙６には接触しないので、台紙６と擦れて傷つく恐れがない。また台紙６は書籍４よりも平面視でのサイズが大きいので、機械的な力は台紙６が受け、特に書籍４の角が外部の堅いものに触れて傷つく恐れがない。さらに台紙６の裏面側が露出しているので、摩擦係数の大きい緩衝シート８に比べて、梱包位置からシュリンク包装機までの搬送が容易である。緩衝シート８は図４の下部に示すように、２枚の個別のフィルム２６，２７間に、空気層２８を封じ込め、個別のフィルム２６，２７を複数個所で接着して、空気層２８が動かないようにしたものである。
【００１９】
実施例では、書籍４が緩衝シート８の凹凸のあるフィルム２７側と接触するように配置した。しかしこの逆に、緩衝シート８の平坦なフィルム２６側と台紙６との間に、書籍４を梱包してもよい。このような例を図５に示すと、３０は新たな梱包体で、上記の点以外は図１〜図４の実施例と同様である。図５の変形例では、書籍４が台紙６と直接接触するので、台紙６との間で擦れる恐れがある。また書籍４は、緩衝シート８の平坦なフィルム２６側と接触するので、凹凸のあるフィルム２７と接触する場合に比べて擦れたりする恐れがある。
【００２０】
図６に、実施例での梱包過程を示す。梱包シートを用意し、マニュアルあるいは自動で所定の位置にセットする。次にマニュアルあるいは自動により、書籍を梱包シート上にセットする。具体的には平面視で台紙と重なり、かつ台紙からはみ出さない位置にセットする。次いでマニュアルあるいは自動により、台紙の両側に突き出した一対の折り返し部を両側から折り返して、書籍上で重ねる。さらにマニュアルあるいは自動により識別ラベルを貼付し、その後シュリンク包装機でシュリンクフィルムなどを用いて包装すると、梱包が完成する。緩衝シートに貼り付けた識別ラベルがバーコードなどで配送先が読み難いため不便な場合、シュリンクフィルムの外側からラベラーなどにより、配達用の住所などをプリントしたラベルを貼り付ければよい。
【図面の簡単な説明】
【図１】実施例の梱包方法を模式的に示す図
【図２】図１に続いて、シュリンク包装後の梱包体を示す図
【図３】緩衝シートの折り返し装置を模式的に示す図
【図４】書籍を梱包した梱包体の断面図
【図５】変形例の梱包体の断面図
【図６】実施例の梱包方法を示すフローチャート
【符号の説明】
２          梱包シート
４          書籍
６          台紙
８          緩衝シート
１０        接着部
１２，１３  折り返し部
１４        識別ラベル
２０，３０  梱包体
２２        シュリンクフィルム
２４，２５  ハンド
２６，２７  個別のフィルム
２８        空気層
【図１】
2004231230.tif 000003
【図２】
2004231230.tif 000004
【図３】
2004231230.tif 000005
【図４】
2004231230.tif 000006
【図５】
2004231230.tif 000007
【図６】
2004231230.tif 000008